(57)【要約】【課題】剪定時の庭木・枝葉への噛みこみを容易にすることができ、庭木・枝葉の切断面を良好にする庭木バリカンを提供することを課題とする。【解決手段】回転運動の駆動源と、駆動源の回転軸に連結され旋回する第一摺動体と、第一摺動体が摺接する第一摺動面部及び第一摺動面部から突出させた長尺状体を備え、第一摺動体の旋回を利用した第一の方向転換手段により長手方向の往復動をする長手方向移動体と、長手方向移動体の往復動を利用した第二の方向転換手段により長手方向に対して略直角方向である短手方向の往復動をする短手方向移動体と、を備え、短手方向往復動をする短手方向移動体から突設された刃部と、長手方向移動体からあるいは長手方向移動体と連結させた長手方向の往復動をする部材から突設された刃部とを上下方向で摺接させて、短手方向移動体から突設された刃部により庭木を引き切り切断する庭木バリカンにより課題解決できた。【選択図】  図１
2019187307.tif 000002
【特許請求の範囲】
【請求項１】
摺接する２つの刃部で庭木を剪定可能とする庭木バリカンであって、
回転運動の駆動源と、
前記駆動源の回転軸に連結され旋回する第一摺動体と、
前記第一摺動体が摺接する第一摺動面部及び前記第一摺動面部から突出させた長尺状体を備え、前記第一摺動体の旋回を利用した第一の方向転換手段により長手方向の往復動をする長手方向移動体と、
前記長手方向移動体の往復動を利用した第二の方向転換手段により前記長手方向に対して略直角方向である短手方向の往復動をする短手方向移動体と、
前記駆動源、前記第一摺動体、前記長手方向移動体及び前記短手方向移動体を収納したハウジングと、を備え、
短手方向往復動をする前記短手方向移動体から突設された刃部と、前記長手方向移動体からあるいは前記長手方向移動体と連結させた長手方向の往復動をする部材から突設された刃部とを上下方向で摺接させて、
又は、同時に短手及び長手方向に往復動をする前記短手方向移動体から突設された刃部と、前記ハウジングから突設された刃部とを上下方向で摺接させて、
前記短手方向移動体から突設された刃部により前記庭木を引き切り切断することを特徴とする庭木バリカン。
【請求項２】
前記第二の方向転換手段が、短手方向に往復動をする前記短手方向移動体、又は、長手方向に往復動をする前記長手方向移動体に形成された短手制御用溝と、前記短手制御用溝に嵌入して摺動する摺動軸の組み合わせであることを特徴とする請求項１に記載の庭木バリカン。
【請求項３】
前記第一の方向転換手段に、平面視で、第一摺動面部に設けられた長手制御用溝内を第一摺動体から突設した伝動ピンが摺動したときの前記伝動ピンの中心軌跡と、前記駆動源の回転軸が回転した際に描く前記伝動ピンの中心軌跡である摺円とが重なる部分を設けたことを特徴とする請求項１又は２に記載の庭木バリカン。
【発明の詳細な説明】
【技術分野】
【０００１】
本発明は、庭木・枝葉の剪定等で使用される庭木バリカンに関する。
【背景技術】
【０００２】
特許文献１には、本体部に内装した駆動モータによって本体部から突設した長尺の刃ブロックを駆動させて庭木を剪定可能にしてなる庭木バリカンであって、それぞれ長尺で鋸形状の上刃体と中刃体と下刃体とを順に重ねて刃ブロックを形成し、上記各刃体を構成する刃体の幅端縁に幅方向外方に突出する突板部を形成し、駆動モータにて刃体の長手方向に往復摺動する可動刃とした中刃体の突板部の側端縁に鋭角状の刃先角を有する刃部を形成し、下刃体の突板部の側端縁に直角状の刃先角を有する刃部を形成し、中刃体の刃部の刃先と下刃体の刃部の刃先とを摺接可能にし、上刃体及び下刃体の各突板部の側端縁における刃体の長手方向の位置を一致させた庭木バリカンが開示されている。
【先行技術文献】
【特許文献】
【０００３】
【特許文献１】特許第４３６７３０５号公報
【発明の概要】
【発明が解決しようとする課題】
【０００４】
特許文献１に記載の発明は、庭木バリカンの中刃体を長手方向に往復動させながら庭木を連続的に剪定するときに、庭木の剪定予定個所に庭木バリカンを噛みこませようとしたときに往復動する中刃体によって庭木への噛みこみがスムースにできないという問題があった。
【０００５】
本発明はこうした問題に鑑み創案されたもので、剪定時の庭木・枝葉への噛みこみを容易にすることができ、庭木・枝葉の切断面を良好にする庭木バリカンを提供することを課題とする。
【課題を解決するための手段】
【０００６】
請求項１に記載の庭木バリカンは、摺接する２つの刃部で庭木を剪定可能とする庭木バリカンであって、回転運動の駆動源と、前記駆動源の回転軸に連結され旋回する第一摺動体と、前記第一摺動体が摺接する第一摺動面部及び前記第一摺動面部から突出させた長尺状体を備え、前記第一摺動体の旋回を利用した第一の方向転換手段により長手方向の往復動をする長手方向移動体と、前記長手方向移動体の往復動を利用した第二の方向転換手段により前記長手方向に対して略直角方向である短手方向の往復動をする短手方向移動体と、前記駆動源、前記第一摺動体、前記長手方向移動体及び前記短手方向移動体を収納したハウジングと、を備え、短手方向往復動をする前記短手方向移動体から突設された刃部と、前記長手方向移動体からあるいは前記長手方向移動体と連結させた長手方向の往復動をする部材から突設された刃部とを上下方向で摺接させて、又は、同時に短手及び長手方向に往復動をする前記短手方向移動体から突設された刃部と、前記ハウジングから突設された刃部とを上下方向で摺接させて、前記短手方向移動体から突設された刃部により前記庭木を引き切り切断することを特徴とする。
【０００７】
請求項２に記載の庭木バリカンは、請求項１において、前記第二の方向転換手段が、短手方向に往復動をする前記短手方向移動体、又は、長手方向に往復動をする前記長手方向移動体に形成された短手制御用溝と、前記短手制御用溝に嵌入して摺動する摺動軸の組み合わせであることを特徴とする。
【０００８】
請求項３に記載の庭木バリカンは、請求項１又は２において、前記第一の方向転換手段に、平面視で、第一摺動面部に設けられた長手制御用溝内を第一摺動体から突設した伝動ピンが摺動したときの前記伝動ピンの中心軌跡と、前記駆動源の回転軸が回転した際に描く前記伝動ピンの中心軌跡である摺円とが重なる部分を設けたことを特徴とする。
【発明の効果】
【０００９】
請求項１に記載の発明は、庭木や枝葉の切断個所に対して、包丁で食材を引きながら切るという引き切り動作を庭木バリカンに実現できたことによって庭木や枝葉の切断を切りやすくし、かつ切断面を良好にすることができる。
【００１０】
請求項２に記載の発明は、長手方向移動体の長手方向往復動を、短手方向移動体の短手方向往復動に安価に容易に変換させることができる。
【００１１】
請求項３に記載の発明は、庭木バリカンの長手方向移動体の往復動を一旦止めるという休止区間を設け、間欠往復動をさせることができる。これにより、前記休止区間のタイミングで刃と刃との隙間に容易に庭木や枝葉を噛みこませることができる。
【図面の簡単な説明】
【００１２】
【図１】本発明の庭木バリカンの１形態である実施例１の構成説明図である。
【図２】本発明の庭木バリカンの１形態である実施例２の構成説明図である。
【図３】本発明の庭木バリカンの１形態である実施例３の構成説明図である。
【図４】本発明の庭木バリカンの１形態である実施例４の構成説明図である。
【図５】本発明の庭木バリカンの１形態である実施例５の構成説明図である。
【図６】実施例５の第二の方向転換手段の作動説明図で、（ａ）が摺動軸の経路説明図であり、（ｂ）が第二の方向転換手段の片側のみを示しており、溝の幅と摺動軸の直径との大きさの関係を説明する説明図で、（ｃ）~（ｅ）が第二の方向転換手段の片側のみを示したときの摺動軸が移動するに従って島状部が摺動軸に押されて移動していく状況を説明する説明図である。
【図７】本発明の庭木バリカンの１形態である実施例６の構成説明図である。
【図８】第一の方向転換手段がクロススライダクランク機構の場合で、（ａ）が長手制御用溝が楕円状のａ形態の説明図で、（ｂ）が２つの円弧状からなるリング状の経路を形成した長手制御用溝に囲繞された島状部が固定状態の説明図で、（ｃ）が２つの円弧状からなるリング状の経路を形成した長手制御用溝に囲繞された島状部が移動自在に装着された形態の説明図で、（ｄ）が平面視で略Ｄ字状の経路を形成した長手制御用溝に囲繞された島状部が固定状態の説明図で、（ｅ）が平面視で略Ｄ字状の経路を形成した長手制御用溝に囲繞された島状部が移動自在に装着された形態の説明図である。
【図９】図８（ｃ）に示す形態であって弾性体が固設された島状部と伝動ピンとの関連を示す説明図である。
【発明を実施するための形態】
【００１３】
本発明の庭木バリカン１は、図１〜図９に示すように、回転運動の駆動源である駆動モーター、ハウジング１０の上蓋１１、短手方向移動体３、長手方向移動体２及びハウジング１０の下蓋１２を備える。上蓋１１及び下蓋１２の間に短手方向移動体３及び長手方向移動体２が配設され、上蓋１１又は下蓋１２の形状は平面視でそれぞれ前記駆動モーター側を略四角形状部とし前記長手方向移動体２側を細長形状部とし、前記長手方向移動体２の長尺状体８の辺縁から突設させた刃部や短手方向移動体３の辺縁から突設させた刃部を前記ハウジング１０から突出させている。前記上蓋１１及び下蓋１２の略四角形状部の外観形状は前記駆動モーター部を収納可能なハウジング１０形状を形成している。前記刃部は山型刃、斜め刃又は直刃が単数又は羅列されたバリカン刃である。
【００１４】
本発明の庭木バリカン１は、庭木の剪定をする庭木バリカン１であって、図１〜図９に示すように、摺接する２つの刃部で庭木を剪定可能とする庭木バリカン１であって、回転運動の駆動源と、前記駆動源の回転軸３１に連結され旋回する第一摺動体６と、前記第一摺動体６が摺接する第一摺動面部７及び前記第一摺動面部７から突出させた長尺状体８を備え、前記第一摺動体６の旋回を利用した第一の方向転換手段４により長手方向の往復動をする長手方向移動体２と、前記長手方向移動体２の往復動を利用した第二の方向転換手段５により前記長手方向に対して略直角方向である短手方向の往復動をする短手方向移動体３と、前記駆動源、前記第一摺動体６、前記長手方向移動体２及び前記短手方向移動体３を収納したハウジング１０と、を備える。
【００１５】
短手方向往復動をする前記短手方向移動体３から突設された刃部と、前記長手方向移動体２からあるいは前記長手方向移動体２と連結させた長手方向の往復動をする部材から突設された刃部とを上下方向で摺接させる第一形態、又は、同時に短手及び長手方向に往復動をする前記短手方向移動体３から突設された刃部と、前記ハウジング１０から突設された刃部とを上下方向で摺接させる第二形態があり、いずれの形態とも前記短手方向移動体３から突設された刃部により前記庭木を引き切り切断する。
【００１６】
本発明の特徴は、前記短手方向移動体３から突設された刃部に庭木を引き切り切断可能にする技術であり、例えば、一般的な切断形態は、摺接する２枚とも山型形状等の刃部を長手方向のみに往復動させて切断対象物を押し切る切断であり切断時の抵抗が大きく切断面が凸凹になりやすいが、本発明の切断形態は、摺接する２枚のうち一方の山型形状等の刃部を短手方向に往復動させながら切断させる形態であるので切断対象物を引き切る切断であり切断時の抵抗が軽減され切断面が滑らかな面になる。
【００１７】
押し切る切断と引き切る切断の違いを包丁の使い方で説明すると、押し切る切断の場合は例えば野菜を上方から垂直方向に下方に向かって包丁を押し切る切り方を意味し、引き切る切断の場合は野菜を手前側から奥側に向けて包丁を引きながら、又は、奥側から手前側に向けて包丁を引きながら切断する切り方を意味する。
【００１８】
まず、ハウジング１０の上蓋１１と下蓋１２の固定方法について、一例として、図１に示す第一形態の場合について説明する。図１に示すように、駆動モーター部近傍の２ケ所と長手方向移動体２の近傍の２ケ所にボルト・ナットによる締結をしている。
【００１９】
長手方向移動体２近傍では、上蓋１１、短手方向移動体３、長手方向移動体２及び下蓋１２をそれぞれ貫通させる貫通孔を平面視で同一位置となるように、前記駆動モーター部近傍及び先端近傍の２ケ所に設け、前記孔に前記上蓋１１、短手方向移動体３、長手方向移動体２及び前記下蓋１２を貫通する締結用ボルトを挿入させナットで締結する。前記上蓋１１及び前記下蓋１２に設けた孔の形体は前記締結用ボルトの直径と同じ大きさを有する円形状であり、前記長手方向移動体２に設けた孔の形体は長手方向の幅が長手方向の最大変動幅とボルトの直径との合計の長さ以上の幅であり短手方向の幅が前記締結用ボルトの直径と略同じ長さの幅を有する楕円状であり、前記短手方向移動体３に設けた孔の形体は短手方向の幅が短手方向の最大変動幅とボルトの直径との合計の長さ以上の幅であり長手方向の幅が前記締結用ボルトの直径と略同じ幅を有する楕円状である。これにより、前記長手方向移動体２及び前記短手方向移動体３をそれぞれ往復動可能として、上蓋１１及び下蓋１２を固定化できる。
【００２０】
さらに、駆動モーター部近傍では、前記駆動源である駆動モーター部近傍において、２ケ所の同一位置に孔を設け、前記孔に前記上蓋１１及び下蓋１２を貫通させる締結用ボルトを挿入させてナットで締結し、前記駆動源である駆動モーター部を収納する部位の前記上蓋１１及び下蓋１２の固定化を図っている。
【００２１】
前記駆動源である駆動モーター部は、前記上蓋１１及び下蓋１２の略四角形状部のハウジング形状の内部に前記下蓋１２に固定されて配設されている。
【００２２】
次に、前記長手方向移動体２について説明する。前記長手方向移動体２は、基本的形態として図１に示すように、前記駆動モーター部の回転軸３１の回動運動を伝動される第一摺動面部７と、前記第一摺動面部７から突出させた長尺状体８を具備している。そして、前記長尺状体８の前記駆動モーター部近傍における短手方向の両辺縁を前記下蓋１２から突設させた規制部に摺接させ、前記長尺状体８の長手方向の前記駆動モーター部近傍及び先端近傍の２ケ所に形成した長手方向に直線状であって楕円状の貫通孔にそれぞれ前記締結用ボルトを貫通させて挿入して、前記長手方向移動体２の短手方向への移動を規制している。上記基本的形態をもとにした他の変形例を実施例等に示す。
【００２３】
次に、前記短手方向移動体３について説明する。基本的形態として図１に示すように、前記短手方向移動体３は、刃部を短手方向に突設させた刃部構成部を備えた細長状の形体であり、長手方向の両端はともに直線状に形成され、一端側は前記長手方向移動体２の前記規制部の前記駆動モーター部の手前の位置に配設され、他端側は長手方向の往復動をしたときの前記長手方向移動体２の先端が到達しない位置に配設される。長手方向の規制手段としては、第一に前記一端側及び前記他端側ともに上蓋１１から下方に向けて突設された規制具にそれぞれ当接させて長手方向の移動を規制する規制手段を設け、第二に短手方向の長さを前記短手方向移動体３の短手方向の最大変動幅と締結用ボルトの直径との合計の寸法以上とし長手方向の幅を前記締結用ボルトの直径と略同一の幅とした楕円状の溝部を形成させて、前記溝部に、前記上蓋１１、短手方向移動体３、長手方向移動体２及び下蓋１２を貫通させる前記締結用ボルトを挿入させて、長手方向の移動を規制する規制手段を設けている。上記基本的形態をもとにした他の変形例を実施例等に示す。
【００２４】
次に、第一の方向転換手段４である、前記第一摺動体６と前記第一摺動体６が摺接する第一摺動面部７との組み合わせの機構について説明する。前記組み合わせの機構は、前記駆動モーター部の回転運動を前記長手方向移動体２の長手方向の往復動に変換させる機構であり、前記駆動モーター部の回転軸３１に連結され回転により円軌跡を描いて旋回する第一摺動体６と、前記第一摺動体６が摺接する第一摺動面部７から構成され、前記組み合わせの機構の形態として、例えば図１に示すような偏心カム機構と、図７に示すようなクロススライダクランク機構とがある。
【００２５】
そして、前記第一の方向転換手段４に、平面視で、第一摺動面部７に設けられた長手制御用溝内を第一摺動体６から突設した伝動ピン９０が摺動したときの前記伝動ピン９０中心軌跡と、前記駆動源の回転軸３１が回転した際に描く前記伝動ピン９０の中心軌跡である摺円３０とが重なる部分を設けている。
【００２６】
まず、前記偏心カム機構について説明する。前記偏心カム機構は、前記第一摺動体６が偏心カム２０であり、前記第一摺動面部７が前記偏心カム２０を嵌入させるカム溝部である。前記偏心カム２０は、平面視で円形状の形体を有し、前記駆動モーター部の回転軸３１に前記偏心カム２０の中心と前記駆動モーター部の回転軸３１とは離隔させて取り付けられ、前記回転軸３１に対して偏心させて回転する。そして、前記駆動モーター部の回転軸３１が回転すると、偏心カム２０は前記駆動モーター部の回転軸３１を回転中心とし、前記偏心カム２０の中心部位の軌跡に該当する摺円３０を描いて回転する。前記摺円３０の直径は長手方向移動体２の長手方向の最大変動幅に相当する。前記偏心カム２０としては例えば円形状の板カムがある。前記偏心カム２０の回転方向は右回転又は左回転のどちらでもよい。
【００２７】
前記カム溝部のカム溝の長手方向の幅は前記偏心カム２０の直径の寸法と略同じ寸法に、前記カム溝の短手方向の幅は前記偏心カム２０の直径と前記摺円３０の直径を合計させた寸法以上に形成されている。これにより、前記駆動モーター部の回転軸３１が回転すると、前記カム溝内を前記偏心カム２０が嵌入状態で回転することによって、前記長手方向移動体２が摺円３０の直径と同じ寸法を最大変動幅として長手方向に往復動する。
【００２８】
次に、前記第一の方向転換手段４がクロススライダクランク機構の場合について説明する。本発明においてクロススライダクランク機構と記載する場合には変形クロススライダクランク機構も含んでいる。前記クロススライダクランク機構の場合は、第一摺動体６が伝動アーム９２であり、前記第一摺動面部７が前記伝動アーム９２の先端に取り付けた伝動ピン９０を挿入する長手方向制御用溝部である。前記伝動アーム９２は、その一端を前記駆動モーター部の回転軸３１に固定し、その他端には柱状体の伝動ピン９０が前記回転軸３１に平行に上方に突設されている。そして、前記駆動モーター部の回転軸３１が回転すると、前記伝動ピン９０の中心は前記回転軸３１を中心とした軌跡である摺円３０を描いて回転する。前記伝動アーム９２の前記回転軸３１の中心と前記伝動ピン９０の中心との間隔は、前記長手方向移動体２の長手方向の最大変動幅の長さの半分に設定する。前記伝動アーム９２の回転方向は右回転又は左回転のどちらでもよい。
【００２９】
そして、摺円３０を描く伝動ピン９０が挿入された前記長手方向制御用溝部の形態には、図８（ａ）に示すように長手制御用溝８８が楕円状のａ形態、図８（ｂ）に示すように長手制御用溝８９が２つの円弧状からなるリング状の経路を形成し前記長手制御用溝８９に囲繞された島状部９２が固定状態のｂ形態、図８（ｃ）又は図９に示すように長手制御用溝９４が２つの円弧状からなるリング状の経路を形成し前記長手制御用溝９４に囲繞された島状部９３が移動自在に装着されたｃ形態、図８（ｄ）に示すように平面視で略Ｄ字状の長手制御用溝９５の経路を形成し前記長手制御用溝９５に囲繞された島状部９６が固定状態のｄ形態、図８（ｅ）示すように平面視で略Ｄ字状の長手制御用溝９７の経路を形成し前記長手制御用溝９７に囲繞された島状部９８が移動自在に装着されたｅ形態がある。なお、前記長手方向制御用溝部の形態は前記形態に限定されるものではなく、前記伝動アーム９２の回転運動を前記長手方向移動体２の往復動に変換させる構造であればよい。
【００３０】
図９に示す前記ｃ形態について説明する。島状部９３には裏面側には前記島状部９３をあらかじめ定めた位置や向きに復元させる付勢力を有する弾性体９９を取り付けている。前記弾性体９９としては、コイルバネや板バネがある。伝動ピン９０が長手制御用溝９４内を、摺円３０を描きながら回転するに従い、前記長手制御用溝９４内を前記島状部９３が伝動ピン９０の経路を確保するように移動する形態である。前記島状部９３は、伝動ピン９０で押されて移動するが、伝動ピン９０から前記島状部９３が離れると、付勢力を有する前記弾性体９９により元位置や向きに復元される。
【００３１】
まず、ａ形態の長手方向制御用溝部について説明する。前記ａ形態の長手方向制御用溝部の長手制御用溝８８は、平面視で、略直線状の貫通孔又は底付溝の形態を有し、短手方向の長さは前記伝動ピン９０の軌跡である摺円３０と前記伝動ピン９０の直径との合計させた長さ以上の長さで、長手方向の幅は前記伝動ピン９０の直径と略同じ長さからなる。前記駆動モーター部の回転軸３１が回転すると前記伝動アーム９２が回転し前記長手方向移動体２が長手方向に往復動する。
【００３２】
次に、ｂ形態の長手方向制御用溝部について説明する。前記ｂ形態の長手方向制御用溝部の長手制御用溝８９は、平面視で２つの円弧状からなるリング状の長手制御用溝８９の凹部側を対向配設させた経路を有し、かつ前記２つの円弧状からなるリング状の長手制御用溝８９の２か所の連通箇所からそれぞれ短手方向の外側に向けて直線状の長手制御用溝８９の経路を有する底付溝の形態を有する。前記対向配設させた円弧状の経路に囲繞された島状部９２は底付溝を形成した長手方向移動体２に固定されている。前記円弧状の部位は、前記伝動ピン９０が前記長手制御用溝８９を摺動した際に描かれる伝動ピン９０の中心軌跡が摺円３０と重なるように形成されている。
【００３３】
前記ｂ形態の長手制御用溝８９の幅は前記伝動ピン９０の直径と略同じ幅で形成され、短手方向の長さは前記伝動ピン９０の軌跡である摺円３０と前記伝動ピン９０の直径との合計させた長さ以上の長さに形成する。また、前記円弧状の部位の短手方向における範囲は、予め定めた前記直線状の経路を確保できるように設定すればよい。
【００３４】
前記ｂ形態の長手方向制御用溝部の場合は、前記駆動モーター部の回転軸３１が回転すると前記伝動アーム９２が回転し、前記伝動ピン９０が長手制御用溝８９内を移動することによって、前記伝動ピン９０が前記直線状の長手制御用溝８９を通過するときに前記長手方向移動体２が長手方向に往復動し、前記伝動ピン９０が前記円弧状の長手制御用溝８９を通過するときに前記長手方向移動体２が休止状態となる。前記長手方向移動体２が往復動するときに長手方向移動体２や短手方向移動体３から突設させた刃部１３、１４は庭木や枝葉に対して切断方向で往復動し、前記長手方向移動体２が休止状態になったときに前記刃部に庭木や枝葉を挿入しやすくなる。
【００３５】
次に、ｃ形態の長手方向制御用溝部について説明する。前記ｃ形態の長手方向制御用溝部の長手制御用溝９４の経路の形態は前記ｂ形態の長手制御用溝８９と略同じ形態を有しているが、ｂ形態の長手制御用溝８９の円弧状の経路を確保する上において島状部９３を固定的に設けることができない場合に、島状部９３を平面視で移動自在となるようにし、あらかじめ定めた位置や向きに復元させる付勢力を取り付ける形態である。前記付勢力としては、コイルバネや板バネがある。
【００３６】
前記ｃ形態の長手方向制御用溝部の場合は、前記駆動モーター部が回転すると前記伝動アーム９２が回転し、前記伝動ピン９０が前記ｃ形態の長手制御用溝９４内を移動することによって、前記伝動ピン９０が前記直線状の長手制御用溝９４を通過するときに前記長手方向移動体２が長手方向に往復動し、前記伝動ピン９０が前記円弧状の長手制御用溝９４を通過するときに前記長手方向移動体２が休止状態となる。前記長手方向移動体２が往復動するときに長手方向移動体２や短手方向移動体３から突設させた刃部１３、１４は庭木や枝葉に対して切断方向で往復動し、前記長手方向移動体２が休止状態になったときに前記刃部に庭木や枝葉を挿入しやすくなる。
【００３７】
次に、ｄ形態の長手方向制御用溝部について説明する。前記ｄ形態の長手方向制御用溝部の長手制御用溝９５は、平面視で略Ｄ字状の長手制御用溝９５の経路を有し、かつ前記略Ｄ字状の長手制御用溝９５の直線状の長手制御用溝９５がそれぞれの端部から短手方向でかつ外側に向けて直線状に延長された経路を有する底付溝の形態を有する。前記略Ｄ字状の長手制御用溝９５に囲繞された島状部９６は底付溝を形成した長手方向移動体２に固定されている。前記略Ｄ字状の部分である円弧状の部位は、前記伝動ピン９０が前記長手制御用溝９５を摺動した際に描かれる伝動ピン９０の中心軌跡が摺円３０と重なるように形成されている。
【００３８】
前記ｄ形態の長手制御用溝９５の幅は前記伝動ピン９０の直径と略同じ幅で形成され、短手方向の長さは前記伝動ピン９０の軌跡である摺円３０と前記伝動ピン９０の直径との合計させた長さ以上の長さに形成する。また、前記略Ｄ字状の部位の短手方向における範囲は、予め定めた前記直線状の経路を確保できるように設定すればよい。
【００３９】
前記ｄ形態の長手方向制御用溝部の場合は、前記駆動モーター部が回転すると前記伝動アーム９２が回転し、前記伝動ピン９０が前記長手制御用溝９５内を移動することによって、前記伝動ピン９０が前記直線状の長手制御用溝９５を通過するときに前記長手方向移動体２が長手方向に往復動し、前記伝動ピン９０が前記略Ｄ字状の長手制御用溝９５のうちの前記円弧状の部位を通過するときに前記長手方向移動体２が休止状態となる。前記長手方向移動体２が往復動するときに長手方向移動体２や短手方向移動体３から突設させた刃部１３、１４は庭木や枝葉に対して切断方向で往復動し、前記長手方向移動体２が休止状態になったときに前記刃部１３、１４に庭木や枝葉を挿入しやすくなる。
【００４０】
次に、ｅ形態の長手方向制御用溝部について説明する。前記ｅ形態の長手方向制御用溝部の長手制御用溝９７の経路の形態は前記ｄ形態の長手制御用溝９５と略同じ形態を有しているが、ｄ形態の長手制御用溝９５の円弧状の経路を確保する上において前記島状部９８を固定的に設けることができない場合に、前記島状部９８を平面視で移動自在となるようにし、あらかじめ定めた位置や向きに復元させる付勢力を取り付ける形態である。前記付勢力としては、コイルバネや板バネがある。
【００４１】
前記ｅ形態の長手方向制御用溝部の場合は、前記駆動モーター部が回転すると前記伝動アーム９２が回転し、前記伝動ピン９０が前記ｅ形態の長手制御用溝９７内を移動することによって、前記伝動ピン９０が前記直線状の長手制御用溝９７を通過するときに前記長手方向移動体２が長手方向に往復動し、前記伝動ピン９０が長手制御用溝９７のうちの前記円弧状の部位を通過するときに前記長手方向移動体２が休止状態となる。前記長手方向移動体２が往復動するときに長手方向移動体２や短手方向移動体３から突設させた刃部１３、１４は庭木や枝葉に対して切断方向で往復動し、前記長手方向移動体２が休止状態になったときに前記刃部１３、１４に庭木や枝葉を挿入しやすくなる。
【００４２】
前記ｂ形態やｃ形態の場合には伝動ピン９０が１周すると２回の停止区間があり、前記ｄ形態やｅ形態の場合には伝動ピン９０が１周すると１回の停止区間がある。また、前記ｃ形態やｅ形態の場合の長手方向制御用溝部には移動自在の島状部９３、９８が装着されているが、前記島状部９３、９８を伝動ピン９０の往路又は復路のときに対向する側壁に交互に略密着させるようにすると長手方向制御用溝部の長手制御用溝の溝幅は往路、復路どちらの経路を伝動ピン９０が通過する場合も、片方の経路分だけを確保できれば伝動ピン９０の移動を邪魔することはないことから、島状部９３、９８の大きさをｂ形態やｃ形態よりほぼ伝動ピン９０の１本分ほど大きくすることができる。
【００４３】
次に、第二の方向転換手段５について説明する。前記第二の方向転換手段５は、短手方向に往復動をする前記短手方向移動体３、又は、長手方向に往復動をする前記長手方向移動体２に形成された短手制御用溝と、前記短手制御用溝に嵌入して摺動する摺動軸の組み合わせである。前記第二の方向転換手段５は、例えば図１に示すように、前記摺動軸３８と、前記摺動軸３８が嵌入して摺接する前記短手制御用溝３７との組み合わせにより前記長手方向移動体２の長手方向往復動で前記短手方向移動体３を短手方向往復動させる摺動形態である。第二の方向転換手段５は、長手方向移動体２の長さによっては複数個所に設けても良い。
【００４４】
第二の方向転換手段５は、前記長手方向移動体２の長手方向の往復動を利用して前記短手方向移動体３に短手方向の往復動をさせる機構であり、短手制御用溝と前記短手制御用溝に挿入される柱状体の突設された摺動軸から構成され、前記第二の方向転換手段５の形態として、例えば図１に示すように前記長手方向移動体２に摺動軸３８を突設し前記短手方向移動体３に短手制御用溝３７を形成したＡ形態、図２に示すように前記長手方向移動体２に短手制御用溝６１を形成し前記短手方向移動体３に摺動軸６２を突設したＢ形態、図４に示すように前記上蓋１１又は下蓋１２に摺動軸１０１を突設し前記短手方向移動体３に短手制御用溝１０２を形成し前記長手方向移動体２に長手方向の略直線状の前記摺動軸挿入用孔１０３を設けたＣ形態がある。
【００４５】
そして、前記短手制御用溝３７としては、図７に示すように平面視で長手方向に対して斜線状の形態の短手制御用溝３７Ａ、３７Ｂ、図１に示すように平面視で長手方向に長い略Ｓ字状の形態の短手制御用溝３７、又は、図５に示すように平面視で長手方向に長い略８字状の形態の短手制御用溝２００がある。そして、前記短手制御用溝の形態は、貫通溝又は底付溝の形態があり、前記斜線状や前記略Ｓ字状の形態の前記短手制御用溝の溝幅は前記摺動軸の直径と略同一である。前記略８字状の形態の短手制御用溝の内側の壁面を形成する、自在に移動する島状部の固定方法は、第一の方向転換手段４の島状部と同じように、あらかじめ定めた位置や向きに復元させる付勢力を取り付ける形態である。
【００４６】
例えば、図１に示すようなＡ形態の場合、前記長手方向移動体２が長手方向の往復動をすると、前記長手方向移動体２に突設された摺動軸３８が前記短手方向移動体３に形成された前記短手制御用溝３７内を移動することにより、前記短手方向移動体３が短手方向の往復動をする。
【００４７】
次に、図２に示すようなＢ形態の場合、前記長手方向移動体２が長手方向の往復動をすると、前記短手方向移動体３に突設された摺動軸６２が前記長手方向移動体２に形成された前記短手制御用溝６１内を移動することにより、前記短手方向移動体３が短手方向の往復動をする。
【００４８】
次に、図４に示すようなＣ形態の場合、前記長手方向移動体２が長手方向の往復動をすると、前記上蓋１１から下方に突設された摺動軸１０１が前記短手方向移動体３に形成された前記短手制御用溝１０２内を移動することにより、前記短手方向移動体３が短手方向の往復動をする。なお、Ｃ形態の場合は短手方向移動体３の長手方向の移動の規制具を上蓋１１でなく長手方向移動体２に設けている。
【００４９】
したがって、Ａ、Ｂ又はＣ形態の第二の方向転換手段５のいずれにおいても、前記長手方向移動体２の長手方向の往復動と前記短手方向移動体３の短手方向の往復動によって、庭木や枝葉を包丁で食材を引きながら切るときの引き切りと略同じ切断方法により庭木を切断する。これにより、切断抵抗を低減させながら庭木の切断面がきれいな切断面とすることができる。
【００５０】
なお、前記短手方向移動体３と前記長手方向移動体２との離隔を防止するために、図１に示すように、上蓋１１に接触させかつ短手方向移動体３に摺接させる、弾性体からなる板状の押圧プレート６２を設けてもよい。
【００５１】
次に、実施例１について説明する。実施例１は、摺接する刃部１３、１４の形態が第一形態、第一の方向転換手段４が偏心カム機構、第二の方向転換手段５がＡ形態の構成である。実施例１は、図１に示すように、上側から、上蓋１１、上押圧プレート３３、短手方向移動体３、長手方向移動体２、下蓋１２の順に配設され、一端側に駆動モーター部（図示なし）を配設する庭木バリカン１である。上蓋１１と下蓋１２は、ハウジング１０を構成し、駆動モーター部近傍の２ケ所４１、４２と長手方向移動体２の近傍の２ケ所４３、４４にボルト・ナットによる締結をしている。なお、上押圧プレート３３は備えなくてもよく、前記長手方向移動体２と下蓋１２との間に下押圧プレート（図示なし）を備えても良い。
【００５２】
前記駆動モーター部は下蓋１２に固定され、前記駆動モーター部の回転軸３１は上方に突設している。そして、前記駆動モーター部の回転軸３１の位置は前記長手方向移動体２の短手方向の中心線上に位置するようにしている。前記回転軸３１には平面視で円形状で平板状の偏心カム２０である第一摺動体６が固定されている。前記駆動モーター部の回転軸３１が回転すると前記偏心カム２０が回転し、前記偏心カム２０の中心の軌跡が摺円３０を描く。
【００５３】
前記上蓋１１に上押圧プレート３３が固定され、上押圧プレート３３と短手方向移動体３とが摺接するように、短手方向移動体３と長手方向移動体２とが摺接するようにしている。これにより、短手方向移動体３と長手方向移動体２の側面視で上下方向の位置を規制している。
【００５４】
前記長手方向移動体２は、前記偏心カム２０を挿入する楕円状のカム溝部からなる第一摺動面部７と、前記第一摺動面部７から長手方向に突設させ、刃部を短手方向の両側に突設させた長尺状体８とから構成される。前記長手方向移動体２の長尺状体８の前記駆動モーター部近傍における短手方向の両縁辺部を前記下蓋１２から突設させた規制部３５に摺接させて、短手方向の移動を規制している。前記カム溝部の大きさは、長手方向の幅は前記偏心カム２０の直径の寸法と略同じ寸法に、前記カム溝の短手方向の幅は前記偏心カム２０の直径と前記摺円３０の直径を合計させた寸法以上に形成されている。さらに前記長尺状体８の長手方向の前記駆動モーター部近傍及び先端近傍の２ケ所に、長手方向の長さを前記長手方向移動体２の長手方向の最大変動幅と締結用ボルトの直径との合計の寸法以上とし短手方向の幅を前記締結用ボルトの直径と略同一の幅とした楕円状の貫通穴４５、４６を形成させている。
【００５５】
前記短手方向移動体３は、刃部を短手方向に突設させた刃部構成部を備えた細長状の形体であり、長手方向の両端はともに直線状に形成され、一端側は前記長手方向移動体２の前記規制部３５の前記駆動モーター部の手前の位置に配設され、他端側は長手方向の往復動をしたときの前記長手方向移動体２の先端が到達しない位置に配設される。前記一端側及び前記他端側ともに上蓋１１から下方に向けて突設された規制具３６にそれぞれ当接させて長手方向の移動を規制し、さらに前記刃部構成部の長手方向の前記駆動モーター部近傍及び先端近傍の２ケ所に、短手方向の長さを前記短手方向移動体３の短手方向の最大変動幅と締結用ボルトの直径との合計の寸法以上とし長手方向の幅を前記締結用ボルトの直径と略同一の幅とした楕円状の貫通穴４７、４８を形成させている。
【００５６】
そして、前記短手方向移動体３の長手方向の略中央部には平面視で長手方向に長い略Ｓ字状の形態の短手制御用溝３７が形成され、前記短手制御用溝３７に前記長手方向移動体２から突設された摺動軸３８を挿入させている。
【００５７】
前記上蓋１１、下蓋１２及び上押圧プレート３３には、平面視で前記長手方向移動体２や短手方向移動体３の前記貫通穴４５〜４８に該当する位置に、締結用ボルトの直径と略同じ径の貫通穴４３、４４を形成させている。そして、上蓋１１、上押圧プレート３３、短手方向移動体３、長手方向移動体２及び下蓋１２のそれぞれの貫通穴４３〜４８に締結用ボルト４９を挿入してナットとともに締結する。
【００５８】
以上の構成により、駆動モーターの回転軸３１が回転すると偏心カム２０が回転し、長手方向移動体２が長手方向に矢印５１が示す範囲の往復動をし、短手方向移動体３が短手方向に矢印５２が示す範囲の往復動をして、包丁で食材を引きながら切るという引き切り動作を庭木バリカン１に実現させたことによって庭木や枝葉の切断面を良好にすることができる。
【００５９】
次に実施例２を説明する。実施例２は、図２に示すように、摺接する刃部の形態が第一形態、第一の方向転換手段４が偏心カム機構、第二の方向転換手段５がＢ形態の構成である。実施例２は実施例１と基本的な構造は同じであるので実施例２の特徴的な構造を説明する。図２に示すように、第二の方向転換手段５が、短手方向移動体３に突設させた摺動軸６２を設け、長手方向移動体２に斜線状の形態の短手制御用溝６１を設けている。駆動モーターの回転軸３１が回転すると偏心カム２０が回転し、長手方向移動体２が長手方向に矢印６３が示す範囲の往復動をし、短手方向移動体３が短手方向に矢印６４が示す範囲の往復動をして、包丁で食材を引きながら切るという引き切り動作を庭木バリカン１に実現させたことによって庭木や枝葉の切断面を良好にすることができる。
【００６０】
次に実施例３を説明する。実施例３は、図３に示すように、摺接する刃部の形態が第一形態、第一の方向転換手段４が偏心カム機構、第二の方向転換手段５がＡ形態の構成である。実施例３は実施例１と基本的な構造は同じであるので実施例３の特徴的な構造を説明する。図３に示すように、長手方向移動体２が上長手方向移動体８１と下長手方向移動体８２に分離されており、下長手方向移動体８２に設ける刃部１３を長手方向に搖動させる。前記搖動する刃部１３の旋回中心は下長手方向移動体８２の孔７４に挿入した、ハウジング１０の上蓋１１に固定し垂下させた軸７７であり、前記軸７７は短手方向移動体３の長穴７５を挿通している。そして、上長手方向移動体８１の下面に設けた溝７８に下長手方向移動体８２から突設したピン７３を嵌入させている。よって、上長手方向移動体８１を長手方向に往復動することによって、下長手方向移動体８２が長手方向に搖動する。
【００６１】
第二の方向転換手段５が、短手方向移動体３に長い略Ｓ字状の形態の短手制御用溝７２が形成され、前記短手制御用溝７２に前記上長手方向移動体８１に突設させた摺動軸７１を挿入させている。駆動モーターの回転軸３１が回転すると偏心カム（図なし）が回転し、上長手方向移動体８１が長手方向に往復動をし、下長手方向移動体８２が搖動しながら長手方向に往復動をし、短手方向移動体３が短手方向に往復動をして、刃部１３と刃部１４とにより包丁で食材を引きながら切るという引き切り動作を庭木バリカン１に実現させたことによって庭木や枝葉の切断面を良好にすることができる。
【００６２】
次に実施例４を説明する。実施例４は、図４に示すように、摺接する刃部の形態が第二形態、第一の方向転換手段４が偏心カム機構、第二の方向転換手段５がＣ形態の構成である。実施例４は実施例１と基本的な構造は同じであるので実施例４の特徴的な構造を説明する。図４に示すように、短手方向移動体３が２層構造の長手方向移動体２の上下の層の間に挿入されて、短手方向移動体３が長手方向及び短手方向に同時に移動する。短手方向移動体３に突設された刃部１００と摺接する刃部（図示なし）は下蓋１２から突設され固定された刃部である。また、第二の方向転換手段５の摺動軸１０１は上蓋１１から下方に突設されて、短手方向移動体３のＳ字状の短手制御用溝１０２及び長手方向移動体２の長手方向に直線状の溝１０３に挿入されている。駆動モーターの回転軸（図なし）が回転すると偏心カム（図なし）が回転し、長手方向移動体２が長手方向に往復動をし、短手方向移動体３が長手方向に移動しながら短手方向にも移動して、刃部１００と下蓋１２から突設された刃部（図なし）により包丁で食材を引きながら切るという引き切り動作を庭木バリカン１に実現させたことによって庭木や枝葉の切断面を良好にすることができる。
【００６３】
次に実施例５を説明する。実施例５は、図５に示すように、摺接する刃部の形態が第一形態、第一の方向転換手段４が偏心カム機構、第二の方向転換手段５がＢ形態の構成である。実施例５は実施例１と基本的な構造は同じであるので実施例５の特徴的な構造を説明する。図５に示すように、短手制御用溝２００は、平面視で８字状の経路と前記経路に囲繞された島状部２２０とを有する底付溝の短手制御用溝であり、前記８字状の経路を確保する上において島状部２２０を平面視で移動自在となるようにし、あらかじめ定めた位置や向きに復元させる付勢力を有する弾性体２２１を取り付ける形態である。前記弾性体２２１としては、コイルバネや板バネがある。
【００６４】
長手方向移動体２は、刃部２０１、前記短手制御用溝２００、短手方向移動を規制する貫通穴２０４を備えている。短手方向移動体３は、刃部２０２、突設させた摺動軸２０３、長手方向移動を規制する貫通穴２０５、２０６を備えている。前記摺動軸２０３は前記短手制御用溝２００に挿入されている。上蓋１１や下蓋１２に設けた孔（図なし）と、前記貫通穴２０４、２０５、２０６にはそれぞれ貫通する締結用ボルトを挿入してナットとともに締結する。
【００６５】
前記短手制御用溝２００、前記島状部２２０、前記摺動軸２０３の関係について図６で説明する。第６図（ｃ）〜（ｅ）は第二の方向転換手段の片側のみを示した図であり、全体は図５や図６（ａ）に示すような形態である。前記摺動軸２０３の動きは、図６（ａ）に示すように前記短手制御用溝２００内の位置Ｐ１から点線の経路に沿って矢印Ｙ１の方向に移動し、位置Ｐ２に到達すると点線の経路に沿って矢印Ｙ２の方向に移動し元の位置Ｐ１に戻る。この間の経路が８字状である。そして、この動きによって、短手方向移動体３は図５に示すように刃部２０２が、矢印２０８が示す範囲を２往復する。
【００６６】
図６（ｂ）に示すように、島状部２２０の外周を摺動軸２０３の中心軌跡として、短手制御用溝２００の幅を摺動軸２０３の直径より狭くしており、そのため前記摺動軸２０３を短手制御用溝２００内に摺動させるために、前記摺動軸２０３からの力を受けなくなると元位置に戻す付勢力を有する弾性体２２１（図示なし）を連結させた状態で配設している。これにより、前記摺動軸２０３は短手制御用溝２００を摺動できるようになる。まず、図６（ｃ）に示すように、前記摺動軸２０３が位置Ｐ３（図６（ｃ）では実線で示す。）から位置Ｐ４（図６（ｃ）では点線で示す。）に移動するに従って前記島状部２２０は位置Ｐ５から位置Ｐ６に移動する。このように、前記摺動軸２０３が短手制御用溝内を移動できるように溝幅を確保可能に前記島状部２２０が移動する。同じように、図６（ｄ）に示すように、前記摺動軸２０３が位置Ｐ７（図６（ｄ）では実線で示す。）から位置Ｐ８（図６（ｄ）では点線で示す。）に移動するに従って前記島状部２２０は位置Ｐ９から位置Ｐ１０に移動する。
【００６７】
そして、前記摺動軸２０３が位置Ｐ２に到達すると、前記島状部２２０は、前記摺動軸２０３からフリー状態となるので前記弾性体２２１により元位置に引っ張られて戻る。次に、図６（ｅ）に示すように、前記摺動軸２０３が位置Ｐ１３（図６（ｅ）では実線で示す。）から位置Ｐ１４（図６（ｅ）では点線で示す。）に移動するに従って、前記島状部２２０は、位置Ｐ１２から位置Ｐ１１に移動する。したがって、前記島状部２２０を固定せず移動可能にすることにより、前記島状部２２０の大きさを、前記島状部を固定させた場合に比較して大きくすることができる。以上、短手制御用溝２００が８字状の場合の左半分の動きについて説明したが、右半分も同様な動作をするので、前記摺動軸２０３の１往復により短手方向移動体３は２往復行うことになり、引き切り動作をする前に傷をつける、又は、刃と刃が上下方向で重なった瞬間に移動方向を戻すといった用途に使うことができる。
【００６８】
駆動モーターの回転軸３１が回転すると偏心カム（図なし）が回転し、前記回転軸３１が１回転すると、長手方向移動体２の刃部２０１が長手方向に矢印２０７が示す範囲を１往復する往復動をし、短手方向移動体３の刃部２０２が短手方向に矢印２０８が示す範囲を２往復する。前記刃部２０１と刃部２０２により包丁で食材を引きながら切るという引き切り動作を庭木バリカン１に実現させたことによって庭木や枝葉の切断面を良好にすることができる。
【００６９】
次に実施例６を説明する。実施例６は、図７に示すように、前記第一の方向転換手段４に、平面視で、第一摺動面部７に設けられた長手制御用溝９１内を摺動したときの第一摺動体６に該当する伝動アーム９２に突設された柱状体の伝動ピン９０の中心軌跡と、前記伝動ピン９０の摺円３０とが重なる部分を設けている。
【００７０】
また、実施例６は、図７に示すように、摺接する刃部の形態が第一形態、第一の方向転換手段４がクロススライダクランク機構のｂ形態、第二の方向転換手段５がＡ形態の構成である。実施例６は実施例１と基本的な構造は同じであるので実施例６の特徴的な構造を説明する。図７に示すように、短手方向移動体３Ａ、３Ｂを２枚とし上下方向で中央に長手方向移動体２を、前記長手方向移動体２の上下それぞれに短手方向移動体３Ａ、３Ｂを配設させた形態である。そして、第一の方向転換手段４に休止区間を設けている。
【００７１】
前記駆動モーター部は下蓋１２に固定され、前記駆動モーター部の回転軸３１は上方に突設している。そして、前記駆動モーター部の回転軸３１の位置は前記長手方向移動体２の短手方向の中心線上に位置するようにしている。前記回転軸３１には伝動アーム９２が取り付けられ前記伝動アーム９２の先端には伝動ピン９０が突設されている。そして、前記伝動ピン９０は長手方向移動体２の長手制御用溝９１内に挿入されている。前記駆動モーター部の回転軸３１が回転すると前記伝動アーム９２が回転し、前記伝動ア−ム９２の先端に突設された前記伝動ピン９０中心の軌跡が摺円３０を描く。
【００７２】
平面視で、第一摺動面部７に設けられた長手制御用溝９１内を摺動したときの第一摺動体６の伝動ピン９０の中心軌跡と、前記伝動ピン９０の摺円３０とが重なる部分が設けられている。この重なる部分においては長手方向移動体２の往復動が停止状態となる。すなわち、刃部１３、１４Ａ、１４Ｂは往復動と休止とを繰り返す。
【００７３】
そして、前記短手方向移動体３Ａ、３Ｂの長手方向の略中央部には平面視で長手方向に長い斜線状の形態の短手制御用溝３７Ａ、３７Ｂが、前記短手方向移動体３Ａ、３Ｂが短手方向で逆方向に移動するように形成され、前記短手制御用溝３７Ａ、３７Ｂに前記長手方向移動体２から突設された摺動軸３８を挿入させている。
【００７４】
以上の構成により、駆動モーターの回転軸３１が回転すると伝動アーム９２が回転し、伝動ピン９０が長手制御用溝内を摺動することにより、長手方向移動体２が長手方向に矢印５１が示す範囲で往復動と休止状態を繰り返し、短手方向移動体３Ａ、３Ｂが短手方向に矢印５２、５３が示す範囲で互いに逆方向の往復動と休止状態を繰り返し、包丁で食材を引きながら切るという引き切り動作を庭木バリカン１に実現させたことによって庭木や枝葉の切断面を良好にすることができる。前記休止状態の瞬間に庭木や枝葉を刃部１３と刃部１４Ａ、１４Ｂ間に挿入させやすいため、庭木や枝葉をしっかりと切断できる。
【符号の説明】
【００７５】
１          庭木バリカン
２          長手方向移動体
３          短手方向移動体
４          第一の方向転換手段
５          第二の方向転換手段
６          第一摺動体
７          第一摺動面部
８          長尺状体
１０        ハウジング
１１        上蓋
１２        下蓋
１３        刃部
１４        刃部
２０        偏心カム
３０        摺円
３１        回転軸
【図１】
2019187307.tif 000003
【図２】
2019187307.tif 000004
【図３】
2019187307.tif 000005
【図４】
2019187307.tif 000006
【図５】
2019187307.tif 000007
【図６】
2019187307.tif 000008
【図７】
2019187307.tif 000009
【図８】
2019187307.tif 000010
【図９】
2019187307.tif 000011